(57)【要約】  多層記録層間における記録層切換の必要性がある場合でも、違和感なく記録された記録情報を再生することが可能な情報記録装置及び当該情報記録処理を実行するための情報記録用プログラムを提供する。  複数の記録層Ｌ０及びＬ１を備える光ディスクＤＫに対して記録情報Ｓrを記録する情報記録装置Ｒにおいて、記録層Ｌ０に対する記録情報Ｓrの記録中において、記録情報Ｓrの内容を検出し、その検出された内容に基づいて、記録情報Ｓrを記録する記録層Ｌ０を記録層Ｌ１に切り換えて記録情報Ｓrの記録を継続するＣＰＵ４を備える。【特許請求の範囲】
【請求項１】
複数の記録層を備える記録媒体に対して記録情報を記録する情報記録装置において、
一の前記記録層に対する前記記録情報の記録中において、当該記録情報の内容を検出する内容検出手段と、
前記検出された内容に基づいて、前記記録情報を記録する前記記録層を、前記一の記録層から他の前記記録層に切り換えて当該記録情報の記録を継続する切換手段と、
を備えることを特徴とする情報記録装置。
【請求項２】
請求項１に記載の情報記録装置において、
前記一の記録層における残記録容量が前記記録層における全記録容量に基づいて予め設定されている閾値以下となったか否かを検出する残記録容量検出手段を更に備え、
前記切換手段は、前記残記録容量が前記閾値以下となったとき以降の期間において、前記検出された内容に基づき、前記記録情報を記録する前記記録層を、前記一の記録層から他の前記記録層に切り換えて当該記録情報の記録を継続することを特徴とする情報記録装置。
【請求項３】
請求項１又は２に記載の情報記録装置において、
前記切換手段は、前記内容が変化するタイミングに相当する時刻であると予め予測された予測時刻になったとき、前記記録情報を記録する前記記録層を、前記一の記録層から他の前記記録層に切り換えて当該記録情報の記録を継続することを特徴とする情報記録装置。
【請求項４】
請求項１から３のいずれか一項に記載の情報記録装置において、
前記内容は、前記記録情報として前記記録媒体に記録されるべき音であり、
前記切換手段は、当該記録情報における当該音が無音となった時間が予め設定された閾値時間より長くなったとき、前記記録情報を記録する前記記録層を、前記一の記録層から他の前記記録層に切り換えて当該記録情報の記録を継続することを特徴とする情報記録装置。
【請求項５】
請求項１から４のいずれか一項に記載の情報記録装置において、
前記記録情報は、予め定められた放送予定表に基づいて放送されてきた番組を含む記録情報であり、
前記内容は、当該放送されてきた記録情報として前記記録媒体に記録されるべき音であると共に、
前記切換手段は、前記放送予定表において予定されている前記番組に含まれている前記音の属性と、前記検出された音の属性と、が異なっているとき、前記記録情報を記録する前記記録層を、前記一の記録層から他の前記記録層に切り換えて当該記録情報の記録を継続することを特徴とする情報記録装置。
【請求項６】
請求項１から５のいずれか一項に記載の情報記録装置において、
前記内容は、前記記録情報として前記記録媒体に記録されるべき画像であり、
前記切換手段は、当該記録情報内の連続する複数の前記画像において当該画像全体が切り換わったとき、前記記録情報を記録する前記記録層を、前記一の記録層から他の前記記録層に切り換えて当該記録情報の記録を継続することを特徴とする情報記録装置。
【請求項７】
請求項１から６のいずれか一項に記載の情報記録装置において、
前記内容は、前記記録情報として前記記録媒体に記録されるべき画像であり、
前記切換手段は、当該記録情報内の連続する複数の前記画像において当該画像のアスペクト比が変化するとき、前記記録情報を記録する前記記録層を、前記一の記録層から他の前記記録層に切り換えて当該記録情報の記録を継続することを特徴とする情報記録装置。
【請求項８】
請求項１から７のいずれか一項に記載の情報記録装置において、
前記切換手段は、前記記録情報に対応する著作権を管理するための著作権管理情報の内容が変化するとき、前記記録情報を記録する前記記録層を、前記一の記録層から他の前記記録層に切り換えて当該記録情報の記録を継続することを特徴とする情報記録装置。
【請求項９】
請求項１から８のいずれか一項に記載の情報記録装置において、
前記一の記録層から他の前記記録層へ切り換えて前記記録情報の記録を継続すべき当該切換タイミングを予め設定するために用いられる設定手段を更に備え、
前記切換手段は、前記一の記録層に対して前記記録情報を記録している場合において前記設定された切換タイミングが到来したとき、前記記録情報を記録する前記記録層を、前記一の記録層から前記他の記録層に切り換えて当該記録情報の記録を継続することを特徴とする情報記録装置。
【請求項１０】
請求項１から９のいずれか一項に記載の情報記録装置において、
前記記録情報の前記記録媒体への記録中における前記記録層の切り換えを禁止する当該記録情報の範囲を設定するために用いられる禁止範囲設定手段と、
前記範囲に含まれる前記記録情報を記録中においては、前記切り換えを禁止するように前記切換手段を制御する制御手段と、
を更に備えることを特徴とする情報記録装置。
【請求項１１】
複数の記録層を備える記録媒体に対して記録情報を記録する情報記録装置に含まれるコンピュータを、
一の前記記録層に対する前記記録情報の記録中において、当該記録情報の内容を検出する内容検出手段、及び、
前記検出された内容に基づいて、前記記録情報を記録する前記記録層を、前記一の記録層から他の前記記録層に切り換えて当該記録情報の記録を継続する切換手段、
として機能させることを特徴とする情報記録用プログラム。
【発明の詳細な説明】
【技術分野】
【０００１】
本願は、情報記録装置及び情報記録用プログラムの技術分野に属し、より詳細には、複数の記録層を備える記録媒体に対して記録情報を記録する情報記録装置及び当該情報記録処理を実行するための情報記録用プログラムの技術分野に属する。
【背景技術】
【０００２】
近年、地上波デジタル放送の開始等に伴い、例えば光ディスク等の記録媒体に対する記録容量の向上の要請が顕著であり、その一解決法として記録媒体の多層化に関する研究開発が盛んに行われている。この多層化は、例えば光ディスクであれば、記録層を複数積層し、各記録層夫々に対して記録情報を記録するものである。そして、一の記録層の記録容量を越えた情報量を有する記録情報については、当然のことながら複数の記録層に跨って連続する記録情報が記録されることとなる。【０００３】
ここで、例えば積層されている複数の記録層に跨って記録情報を記録した場合、その再生時においては一の記録層から他の記録層へ情報検出位置を移動する必要があるが、例えば層間でシームレス（連続）再生が指示されていない場合、その移動間には記録情報の記録媒体からの再生が一時的に中断することとなる。【０００４】
そして、従来の多層記録媒体においては、一の記録層における記録領域の終端まで記録情報の記録が終了したときに他の記録層へ切り換えて残りの記録情報を記録することを継続する構成が一般的であった。
【発明の開示】
【発明が解決しようとする課題】
【０００５】
しかしながら、上述した従来の構成によると、一の記録層における記録領域の物理的な終端まで記録し終わったときに他の記録層に切り換わるため、その記録された記録情報の再生時においては、その内容としては再生が途切れることが望ましくないタイミングにおいて記録層の切換により再生が一時中断する場合があると言う問題点があった。【０００６】
そして、この問題点は、記録情報が例えば放送されている番組であった場合等、記録のやり直しができない属性を有する記録情報であった場合においては、切換タイミングに当たったシーン等の内容に応じ、記録情報としての価値に重大な影響を及ぼす場合があると言う問題点に繋がるものである。【０００７】
そこで、本願は上記の各問題点に鑑みて為されたもので、その課題の一例は、多層記録層間における記録層切換の必要性がある場合でも、違和感なく記録された記録情報を再生することが可能な情報記録装置及び当該情報記録処理を実行するための情報記録用プログラムを提供することにある。
【課題を解決するための手段】
【０００８】
上記の課題を解決するために、請求項１に記載の発明は、複数の記録層を備える光ディスク等の記録媒体に対して記録情報を記録する情報記録装置において、一の前記記録層に対する前記記録情報の記録中において、当該記録情報の内容を検出するＣＰＵ等の内容検出手段と、前記検出された内容に基づいて、前記記録情報を記録する前記記録層を、前記一の記録層から他の前記記録層に切り換えて当該記録情報の記録を継続するＣＰＵ等の切換手段と、を備える。【０００９】
上記の課題を解決するために、請求項１１に記載の発明は、複数の記録層を備える光ディスク等の記録媒体に対して記録情報を記録する情報記録装置に含まれるコンピュータを、一の前記記録層に対する前記記録情報の記録中において、当該記録情報の内容を検出する内容検出手段、及び、前記検出された内容に基づいて、前記記録情報を記録する前記記録層を、前記一の記録層から他の前記記録層に切り換えて当該記録情報の記録を継続する切換手段、として機能させる。
【図面の簡単な説明】
【００１０】
【図１】実施形態の情報記録装置の概要構成を示すブロック図である。
【図２】実施形態に係る記録処理を示すフローチャートである。
【符号の説明】
【００１１】
１    ピックアップ
２    符号化部
４    ＣＰＵ
５    表示部
６    操作部
７    サーボ処理部
ＤＫ    光ディスク
Ｌ０、Ｌ１    記録層
【発明を実施するための最良の形態】
【００１２】
次に、本願を実施するための最良の形態について、図１及び図２を用いて説明する。【００１３】
なお、以下に説明する実施形態は、二層の記録層が形成された光ディスクにおける夫々の記録層に対して光学的に情報を記録する情報記録装置に対して本願を適用した場合の実施の形態である。また、図１は実施形態に係る情報記録装置の概要構成を示すブロック図であり、図２は当該情報記録装置の動作を示すフローチャートである。【００１４】
（Ｉ）全体説明
先ず、実施形態に係る情報記録装置Ｓの全体構成及び動作について説明する。【００１５】
図１に示すように、実施形態に係る情報記録装置Ｓは、図示しないキャリッジと一体化されているピックアップ１と、符号化部２と、ストラテジ部３と、内容検出手段、制御手段、残記録容量検出手段及び切換手段としてのＣＰＵ４と、液晶ディスプレイ等からなる表示部５と、操作ボタン又は赤外線式のリモートコントロール装置等からなる禁止範囲設定手段としての操作部６と、サーボ処理部７と、スピンドルモータ８と、により構成されている。【００１６】
次に、動作を説明する。【００１７】
先ず、実施形態に係る光ディスクＤＫには、二層の平行な記録層Ｌ０及びＬ１が形成されており、夫々の記録層Ｌ０及びＬ１が光ビームＢを用いて光学的に情報を記録することが可能に構成されている。このとき、記録層Ｌ０は図１に示すように光ディスクＤＫの内周側から外周側に向かって螺旋状に情報が記録されるものであり、一方、記録層Ｌ１は図１に示すように光ディスクＤＫの外周側から内周側に向かって螺旋状に情報が記録されるものである。そして、記録層Ｌ０に対してその外周側終端まで情報が記録されたときは、光ビームＢの集光位置を記録層Ｌ０の当該外周側終端から記録層Ｌ１の外周側始端まで移動させ、その後は、当該記録層Ｌ１に対してその外周側から内周側に向けて情報が記録される。なお、以下の説明では、当該記録層Ｌ０から記録層Ｌ１への集光位置の移動を「層間ジャンプ」と称することとする。【００１８】
上述した構成を備える光ディスクＤＫは、その中心部においてスピンドルモータ８に固定され、当該スピンドルモータ８により、予め設定されている記録用の回転速度で回転される。このとき、当該回転速度の制御は、サーボ処理部７からのサーボ信号Ｓssに基づいて実行される。【００１９】
一方、光ディスクＤＫに記録されるべき記録情報Ｓrは、外部から入力されると、符号化部２及びＣＰＵ４に出力される。そして、符号化部４において、ＣＰＵ４からの制御信号Ｓecに基づき、光ディスクＤＫの種類（例えば、ＣＤ（Compact Disc）又はＤＶＤ（Digital Versatile Disc）等の種類）等に応じた符号化方式に則って符号化され、符号化情報Ｓeとしてストラテジ部３に出力される。【００２０】
次に、ストラテジ部３は、ＣＰＵ４からの制御信号Ｓscに基づき、当該符号化情報Ｓeに対して、光ディスクＤＫにおける記録方式（例えば、色素膜を記録層Ｌ０及びＬ１として用いた一回のみ記録可能な記録方式、或いは相変化膜を記録層Ｌ０及びＬ１として用いた書き換え可能な記録方式等）に則って符号化情報Ｓeの波形を整形し、記録信号Ｓdとしてピックアップ１に出力する。【００２１】
そして、当該記録信号Ｓdに基づいてピックアップ１内の図示しない半導体レーザ等が駆動されることにより、当該記録信号Ｓdの内容に対応して強度変調された光ビームＢが上記記録層Ｌ０又はＬ１のいずれか一方に照射され、これにより当該記録層Ｌ０又はＬ１のいずれか一方上に記録信号Ｓdの内容に対応する記録ピットが形成されることで上記記録情報Ｓrが光ディスクＤＫに光学的に記録される。【００２２】
この記録処理時において、光ビームＢの照射位置及び上記層間ジャンプは、サーボ処理部７からのサーボ信号Ｓpsに基づき、ピックアップ１内の図示しないフォーカスアクチュエータ又はトラッキングアクチュエータが駆動することにより光ビームＢを集光する図示しない対物レンズが移動することで制御される。また、上述したように記録層Ｌ０又はＬ１では、情報の記録方向が異なるため、記録層Ｌ０に対して情報を記録する場合は、図１に実線で示すようにピックアップ１は光ディスクＤＫの内周側から外周側に向かって移動することとなり、一方、記録層Ｌ１に対して情報を記録する場合は、図１に破線で示すようにピックアップ１は光ディスクＤＫの外周側から内周側に向かって移動することとなる。【００２３】
このため、サーボ処理部７は、ＣＰＵ４からの制御信号Ｓsに基づき、上記二つのサーボ信号Ｓss及びＳpsを夫々生成し、対応するスピンドルモータ８及びピックアップ１に夫々出力する。このとき、上記層間ジャンプは、図２を用いて後述する方法により行われる。【００２４】
上述してきた各構成部材の動作を統括制御すべく、ＣＰＵ４は、使用者による操作に応じて操作部６から出力されてくる操作信号Ｓopに基づいて上記各制御信号Ｓec、Ｓsc及びＳsを生成し、夫々符号化部２、ストラテジ部３及びサーボ処理部７に出力する。また、情報処理装置Ｓの動作状態は、ＣＰＵ４からの表示信号Ｓdpに基づき、表示部５において表示される。【００２５】
更に、ＣＰＵ４は、外部から直接入力されている上記記録情報Ｓrの内容に基づき、後述する実施形態に係る記録処理を実行する。【００２６】
次に、上述した構成を備える情報記録装置Ｓにおいて実行される、実施形態に係る層間ジャンプを含む記録処理について、具体的に、図２を用いて説明する。【００２７】
実施形態に係る記録処理においては、上記層間ジャンプを実行するか否かの判断に対し、記録層Ｌ０の外周側終端に光ビームＢの照射位置が到達したか否かに加えて、記録情報Ｓrの内容自体をも反映させる。【００２８】
すなわち、図２に示すように、光ディスクＤＫに対する情報の記録は、先ず記録層Ｌ０の内周側始端から開始される（ステップＳ１）。【００２９】
そして、記録層Ｌ０に対する記録を行っている間においては、常に光ビームＢの照射位置（すなわち、情報の記録位置）が当該記録層Ｌ０の外周側終端まで到達したか否かが監視されている（ステップＳ２）。そして、光ビームＢの照射位置が記録層Ｌ０の外周側終端まで到達していないときは（ステップＳ２；ＮＯ）、次に、記録すべき記録情報Ｓrが全て記録されたか否かが確認され（ステップＳ３）、記録層Ｌ０内において記録すべき記録情報Ｓrを全て記録し終わったときは（ステップＳ３；ＹＥＳ）、実施形態に係る記録処理を終了する。【００３０】
また、ステップＳ２の判定において、光ビームＢの照射位置が記録層Ｌ０の外周側終端まで到達したときは（ステップＳ２；ＹＥＳ）、後述するステップＳ６の処理に移行して層間ジャンプを行う。【００３１】
一方、ステップＳ３の判定において、記録層Ｌ０に対する記録情報Ｓrの記録を継続すべきであるときは（ステップＳ３；ＮＯ）、次に、記録層Ｌ０における残記録可能容量が予め設定されている閾値以下となり、且つ記録情報Ｓrの内容に関する後述の第２条件が満たされているか否かを確認する（ステップＳ４）。ここで、当該閾値は、例えば記録層Ｌ０における全記録容量の１０％の記録容量として予め設定されているものである。また当該第２条件については、後ほど詳述する。【００３２】
ステップＳ４の判定において、記録層Ｌ０における残記録可能容量が上記閾値以下でないか、又は上記第２条件が満たされていないかのいずれかである場合は（ステップＳ４；ＮＯ）、更に記録層Ｌ０に対する情報の記録を継続する。【００３３】
一方、ステップＳ４の判定において、記録層Ｌ０における残記録可能容量が上記閾値以下であり、且つ上記第２条件が満たされている場合は（ステップＳ４；ＹＥＳ）、次に、記録情報Ｓrの内容に応じて予め設定されている層間ジャンプの禁止範囲に属する当該記録情報Ｓrを記録中であるか否かを確認する（ステップＳ５）。【００３４】
そして、当該禁止範囲に属する記録情報Ｓrを記録中であるときは（ステップＳ５；ＹＥＳ）、層間ジャンプを行うことなく記録層Ｌ０に対する情報の記録を継続する。【００３５】
他方、禁止範囲に属する記録情報Ｓrを記録中でないときは（ステップＳ５；ＮＯ）、記録層Ｌ０の外周側終端に光ビームＢの照射位置が到達していない場合であっても記録層Ｌ０から記録層Ｌ１への層間ジャンプを行い（ステップＳ６）、その後、記録層Ｌ１に対する記録情報Ｓrの記録を開始する（ステップＳ７）。なお、当該禁止範囲についても、後ほど詳述する。【００３６】
そして、記録すべき記録情報Ｓrが全て記録されたか否かが確認され（ステップＳ８）、記録すべき記録情報Ｓrを全て光ディスクＤＫに記録し終わったときは（ステップＳ８；ＹＥＳ）、実施形態に係る記録処理を終了する。【００３７】
一方、ステップＳ８の判定において、記録層Ｌ１に対する記録情報Ｓrの記録を継続すべきであるときは（ステップＳ８；ＮＯ）、次に、光ビームＢの照射位置が記録層Ｌ１の内周側終端まで到達したか否かを確認する（ステップＳ９）。そして、光ビームＢの照射位置が記録層Ｌ１の内周側終端まで到達していないときは（ステップＳ９；ＮＯ）、そのまま当該記録層Ｌ１に対する記録情報Ｓrの記録を継続する。【００３８】
他方、光ビームＢの照射位置が記録層Ｌ１の内周側終端まで到達してしまったときは（ステップＳ９；ＹＥＳ）、これ以上光ディスクＤＫに記録情報Ｓrを記録することは不可能であることになるので、実施形態に係る記録処理を終了する。【００３９】
（II）第２条件の詳細説明
次に、実施形態の詳細として、ＣＰＵ４において記録情報Ｓrについて判断される上記第２条件について先ず詳説する。【００４０】
記録情報Ｓrの内容についてＣＰＵ４において判断される上記第２条件として具体的には、以下の（１）乃至（７）の各条件が挙げられる。【００４１】
（１）毎正時、すなわち、０時、１時、２時、…、２３時のいずれかになったか否か。【００４２】
（２）例えば、毎時の３０分、すなわち、０時３０分、１時３０分、２時３０分、…、２３時３０分のいずれかになったか否か。【００４３】
（３）記録情報Ｓrが音情報を含んだ例えばテレビジョン放送番組であるとき、当該記録情報Ｓr内において無音である時間が予め設定された閾値時間（例えば２秒）以上続いたか否か。【００４４】
（４）記録情報Ｓrが動画情報を含んだ例えばテレビジョン放送番組であるとき、当該記録情報Ｓr内において動画としての絵柄が全体として変化したか否か。【００４５】
（５）記録情報Ｓrが動画情報を含んだ例えばテレビジョン放送番組であるとき、当該記録情報Ｓr内において動画としてのアスペクト比が変化したか否か。【００４６】
（６）記録情報Ｓrが著作権情報を含むものであるとき、その著作権情報により示される内容（例えば一回に限り複写可能であるか、或いは複写自由であるか等の内容）が変わったか否か（当該著作権情報自体の有無を含む）。【００４７】
（７）記録情報Ｓrが例えばテレビジョン放送番組であって対応する放送番組表が情報記録装置Ｓにおいて予め取得できるとき、その放送番組表により示される記録情報Ｓrとしての音の属性（例えばステレオ放送か否か）と、ＣＰＵ４において検出した記録情報Ｓrとしての音の属性とが異なっているか否か。【００４８】
このうち、先ず条件（１）については、例えばテレビジョン放送においては、毎正時毎に番組が変わるか或いはコマーシャル部分の放送となる場合が多いので、このタイミングを層間ジャンプのタイミングとして採用するものである。【００４９】
次に、条件（２）は、上記条件（１）と同様に、毎時の３０分毎に番組が変わるか或いはコマーシャル放送となる場合が多いので、このタイミングを層間ジャンプのタイミングとして採用するものである。【００５０】
更に、条件（３）は、無音部分であれば記録情報Ｓrとしてのストーリ上、影響が少ない場面であると予測されるため、このタイミングを層間ジャンプのタイミングとして採用するものである。【００５１】
また、条件（４）は、動画としての絵柄全体が変わったときは、通常、大きなシーンチェンジがあったか、或いはコマーシャル部分の放送に移行した可能性が高いと考えられるため、このタイミングを層間ジャンプのタイミングとして採用するものである。【００５２】
次に、条件（５）は、動画としてのアスペクト比が変わったときは、通常、番組自体が変わったか、或いはコマーシャル部分の放送に移行した可能性が高いと考えられるため、このタイミングを層間ジャンプのタイミングとして採用するものである。【００５３】
更に、条件（６）は、著作権情報としての内容が変わったときは、通常、番組自体が変わったか、或いはコマーシャル部分の放送に移行した可能性が高いと考えられるため、このタイミングを層間ジャンプのタイミングとして採用するものである。【００５４】
最後に、条件（７）は、音の属性が放送番組表のものと異なる場合、通常、コマーシャル部分の放送に移行した可能性が高いと考えられるため、このタイミングを層間ジャンプのタイミングとして採用するものである。【００５５】
以上夫々説明した条件（１）乃至（７）は、相互に並列的に上記第２条件として用いられ、七つの条件のうちいずれか一つに該当すれば、上記ステップＳ４の判定において第２条件が満たされたと判定される。【００５６】
なお、上記七つの条件を、並列的ではなく直列的に判断してもよい。すなわち、優先順位を付けて各条件を適用してもよいし、或いは、入力されている記録情報Ｓrの属性に応じてその優先順位を異ならせてもよい。【００５７】
更に、上記条件（１）又は（２）と、上記放送番組表の内容（具体的には、各番組の開始時刻及び終了時刻等）とを組み合わせ、番組が変わる可能性がない正時又は毎正時の３０分については第２条件から除外してもよい。【００５８】
更にまた、上記条件（３）に重畳して、画像として単一色（例えばいわゆるブルーバック又は黒一色）であり且つ無音の時間を第２条件としてもよい。【００５９】
また、使用者が予め操作部６を用いて指定した層間ジャンプのタイミングがある場合は、当該指定タイミングが到来したか否かを第２条件としてもよいし、そのタイミングの判定を他の条件に優先させて行ってもよい。【００６０】
（III）禁止範囲の詳細説明
次に、実施形態の詳細として、上記ステップＳ５の判定として用いられる禁止範囲について詳説する。【００６１】
上記禁止範囲とは、その期間に含まれている記録情報Ｓrの記録中において層間ジャンプを行ってはいけない範囲、換言すれば、記録された記録情報Ｓrの再生時において、層間ジャンプが起こると記録情報Ｓrとしての連続性が損なわれる記録情報Ｓrの範囲である。【００６２】
そして、当該禁止範囲として具体的には、例えば、記録情報Ｓrとして含まれている音の出力レベルが予め設定されている閾値以上である期間は、記録情報Ｓrとして連続して再生されるべき特徴的な範囲であるとして、その期間内は層間ジャンプを禁止することが望ましい。【００６３】
なお、上述したステップＳ５の判定は本願として必ず必要となるものではなく、使用者による設定又は入力される記録情報Ｓrの属性に応じて適宜その判定を行うか否かを選択し得るものである。【００６４】
以上夫々説明したように、実施形態の情報記録装置Ｓの動作によれば、層間ジャンプに当たって、記録情報Ｓrの内容が反映されるので、当該記録された記録情報Ｓrの再生時におけるその内容の連続性等に影響を与えることを抑制しつつ、多層の記録層Ｌ０（Ｌ１）夫々に記録情報Ｓrを記録することができる。【００６５】
従って、多層記録層間における層間ジャンプの必要性がある場合でも、違和感なく記録された記録情報Ｓrを再生することができる。【００６６】
また、記録層Ｌ０における残記録容量が閾値以下となった以降において記録情報Ｓrの内容を層間ジャンプに反映させるので、記録層Ｌ０の記録容量が必要以上に無駄になることを防止しつつ、層間ジャンプに当たって記録情報Ｓrの内容を反映させることができる。【００６７】
更に、記録情報Ｓrの内容の変化に相当する時刻（毎正時又は毎正時３０分等）で層間ジャンプが行われるので、当該記録情報Ｓrの再生時におけるその内容の連続性等に影響を与えることを効果的に抑制することができる。【００６８】
更にまた、無音時間が閾値時間よりも長くなったときに層間ジャンプを行うので、再生処理が一時的に中断しても支障がないと思われる無音期間内に層間ジャンプを行わせることができる。【００６９】
また、放送番組表に含まれている番組としての音の属性と、記録情報Ｓrから検出された音の属性と、が異なっているときに層間ジャンプを行うので、例えばコマーシャル放送等の再生中に層間ジャンプが行われることとなり、再生処理が一時的に中断しても支障がないと思われるタイミングで層間ジャンプを行うことができる。【００７０】
更に、連続する複数の画像において当該画像（絵柄）全体が切り換わったときに層間ジャンプを行うので、大きくシーンが変わったり、番組自体が切り換わるタイミング等、再生処理が一時的に中断しても支障がないと思われる期間に層間ジャンプを行わせることができる。【００７１】
更にまた、例えば番組の変わり目である可能性が高いアスペクト比の変化時又は著作権情報の内容の変化時に層間ジャンプを行うので、番組の切り換わり時と層間ジャンプの実行タイミングとが同じタイミングとなり、再生処理が一時的に中断しても支障がない期間に層間ジャンプを行わせることができる。【００７２】
また、使用者の任煮のタイミングで層間ジャンプを行うように設定することができるので、記録情報Ｓrの内容と使用者が設定する切換タイミングの双方を加味して層間ジャンプを行わせることができる。【００７３】
更に、層間ジャンプを禁止する禁止範囲を使用者の任意で設定することができるので、当該使用者の好み等に応じて層間ジャンプの禁止範囲を設定することができる。【００７４】
なお、上述した実施形態においては、二つの記録層Ｌ０及びＬ１を含む光ディスクＤＫに対して本願を適用した場合を説明したが、これ以外に、三層以上の記録層を備える光ディスクに対する情報の記録時における層間ジャンプの制御に対して本願を適用することも可能である。【００７５】
また、光ディスクＤＫに対する情報の記録中において、使用者の指示により強制的に層間ジャンプを行うように設定することもできる。すなわち、記録層Ｌ０に対する情報の記録中において当該記録層Ｌ０の残記録容量を表示部５に表示し、その表示されている残記録容量に応じて使用者が層間ジャンプをその後に行うタイミングを、操作部６を用いて設定するように構成することもできる。【００７６】
上記したように構成することで、例えば、記録層Ｌ０における残記録容量が殆ど無いことが表示部５における表示から認識できる場合であって、その後に１時間分の情報を光ディスクＤＫに記録しようとするときには、記録層Ｌ０からその記録を開始すると直ぐに層間ジャンプが発生してしまうこととなる。そこで、使用者の操作部６における操作により、記録層Ｌ０に対する情報の記録を直ちに終了して層間ジャンプを行わせ、当該１時間分の情報の記録を記録層Ｌ１から開始するように構成することができる。【００７７】
更に、図２に示すフローチャートに対応するプログラムを、フレキシブルディスク又はハードディスク等の情報記録媒体に記録しておき、又はインターネット等を介して取得して記録しておき、これらを汎用のコンピュータで読み出して実行することにより、当該コンピュータを実施形態に係るＣＰＵ４として活用することも可能である。
【図１】
2006134745.tif 000002
【図２】
2006134745.tif 000003
【国際調査報告】
2006134745.tif 000004
2006134745.tif 000005
2006134745.tif 000006